(57)【要約】      （修正有）【課題】プレビュー画像の視認性を向上させた画像処理装置を提供すること。【解決手段】画像処理装置は、印刷ジョブのプレビュー画像１２０が表示される表示部１１３と、プレビュー画像１２０の画像サイズと表示部１１３の表示サイズとに応じて、プレビュー画像１２０内に含まれているサムネイル画像１２２，１２３の少なくとも一部を省略させ、省略した部分を含んだプレビュー画像１２０の全体を表示部１１３に表示させる制御部と、を備えている。【選択図】図６
2017182117.tif 000002
【特許請求の範囲】
【請求項１】
印刷ジョブのプレビュー画像が表示される表示部と、
前記プレビュー画像の画像サイズと前記表示部の表示サイズとに応じて、前記プレビュー画像内に含まれているサムネイル画像の少なくとも一部を省略させ、前記省略した部分を含んだプレビュー画像の全体を前記表示部に表示させる制御部と、
を備えていること、を特徴とする画像処理装置。
【請求項２】
前記プレビュー画像は、複数のサムネイル画像を含み、
前記制御部は、前記複数のサムネイル画像のうちの少なくとも１つを省略表示させること、を特徴とする請求項１に記載の画像処理装置。
【請求項３】
前記制御部は、省略表示された前記サムネイル画像を展開表示させ、展開表示された前記サムネイル画像を省略表示させる識別子を、画像の省略される領域に表示させること、を特徴とする請求項１または請求項２に記載の画像処理装置。
【請求項４】
前記制御部は、サムネイル画像の省略表示部に沿って、前記プレビュー画像の長辺方向の長さを省略表示させること、を特徴とする請求項１から請求項３のいずれか一項に記載の画像処理装置。
【請求項５】
前記制御部は、前記複数のサムネイル画像の間の空白部を省略させること、を特徴とする請求項２から請求項４のいずれか一項に記載の画像処理装置。
【請求項６】
前記制御部は、前記複数のサムネイル画像のうち、画像サイズの大きい前記サムネイル画像から順に省略表示させること、を特徴とする請求項２から請求項５のいずれか一項に記載の画像処理装置。
【請求項７】
前記制御部は、前記サムネイル画像内の階調変化に応じて前記サムネイル画像の一部を省略させること、を特徴とする請求項１から請求項６のいずれか一項に記載の画像処理装置。
【請求項８】
前記制御部は、省略させた前記サムネイル画像の画像サイズが所定のサイズ以下の場合、前記サムネイル画像全体を省略させたことを示すアイコンを表示させ、前記アイコンが選択されることで前記サムネイル画像を展開表示させること、を特徴とする請求項１から請求項７のいずれか一項に記載の画像処理装置。
【請求項９】
請求項１から請求項８のいずれか一項に記載の画像処理装置を備えていること、を特徴とする印刷装置。
【請求項１０】
印刷ジョブのプレビュー画像を表示させる表示部を備えた画像処理装置のプレビュー方法であって、
前記プレビュー画像の画像サイズを取得する工程と、
前記表示部の表示サイズに応じて、前記プレビュー画像内に含まれているサムネイル画像の少なくとも一部を省略させる工程と、
を含んでいること、を特徴とするプレビュー方法。
【発明の詳細な説明】
【技術分野】
【０００１】
本発明は、画像処理装置、印刷装置及びプレビュー方法に関する。
【背景技術】
【０００２】
従来から長尺の記録媒体に画像などの印刷を行うインクジェット方式の印刷装置が使用され、印刷装置に印刷を行わせる印刷ジョブの制御を行う画像処理装置が備えられている。このような画像処理装置は、表示部を備え、印刷媒体に印刷させる画像をプレビュー表示させる機能を備えている（例えば、特許文献１に記載の画像表示装置を参照）。
【先行技術文献】
【特許文献】
【０００３】
【特許文献１】特開２０１１−１６４９２３号公報
【発明の概要】
【発明が解決しようとする課題】
【０００４】
しかしながら、このような画像処理装置は、長尺の画像をプレビュー表示させた場合、全体を表示させると画像の内容を把握することが困難であった。逆に、画像の内容が把握できる解像度で表示させると全体のレイアウトを把握することが困難であった。すなわち、プレビュー画像の視認性に問題があった。
【課題を解決するための手段】
【０００５】
本発明は、上述の課題の少なくとも一部を解決するためになされたものであり、以下の形態又は適用例として実現することが可能である。
【０００６】
［適用例１］本適用例に係る画像処理装置は、印刷ジョブのプレビュー画像が表示される表示部と、前記プレビュー画像の画像サイズと前記表示部の表示サイズとに応じて、前記プレビュー画像内に含まれているサムネイル画像の少なくとも一部を省略させ、前記省略した部分を含んだプレビュー画像の全体を前記表示部に表示させる制御部と、を備えていること、を特徴とする。
【０００７】
本適用例によれば、画像処理装置は、サムネイル画像の一部を省略表示させてプレビュー画像全体を表示部に表示させるので、ユーザーは、サムネイル画像の内容とプレビュー画像全体のレイアウトとを同時に把握することができる。したがって、プレビュー画像の視認性を向上させた画像処理装置を提供することができる。
【０００８】
［適用例２］上記適用例に記載の画像処理装置は、前記プレビュー画像は、複数のサムネイル画像を含み、前記制御部は、前記複数のサムネイル画像のうちの少なくとも１つを省略表示させること、が好ましい。
【０００９】
本適用例によれば、画像処理装置は、複数のサムネイル画像のうちの少なくとも１つのサムネイル画像の一部を省略表示させてプレビュー画像全体を表示部に表示させるので、サムネイル画像の内容とプレビュー画像全体のレイアウトとを同時に把握することができる。したがって、プレビュー画像の視認性を向上させた画像処理装置を提供することができる。
【００１０】
［適用例３］上記適用例に記載の画像処理装置において、前記制御部は、省略表示された前記サムネイル画像を展開表示させ、展開表示された前記サムネイル画像を省略表示させる識別子を、画像の省略される領域に表示させること、が好ましい。
【００１１】
本適用例によれば、省略表示と展開表示とを交互に切り替える識別子が画像の省略される領域に設けられている。これにより、ユーザーは、識別子を選択することで、必要に応じて表示形式を容易に変更することができる。
【００１２】
［適用例４］上記適用例に記載の画像処理装置において、前記制御部は、サムネイル画像の省略表示部に沿って、前記プレビュー画像の長辺方向の長さを省略表示させること、が好ましい。
【００１３】
本適用例によれば、プレビュー画像の長辺方向の長さを省略表示させることで、画像の印刷された記録媒体を折り畳んだように表示させることができる。これにより、印刷後の全体像がイメージし易くなる。
【００１４】
［適用例５］上記適用例に記載の画像処理装置において、前記制御部は、前記複数のサムネイル画像の間の空白部を省略させること、が好ましい。
【００１５】
本適用例によれば、空白部を省略させることで、サムネイル画像の省略範囲を縮小させることができる。これにより、サムネイル画像の内容が把握し易くなる。
【００１６】
［適用例６］上記適用例に記載の画像処理装置において、前記制御部は、前記複数のサムネイル画像のうち、画像サイズの大きい前記サムネイル画像から順に省略表示させること、が好ましい。
【００１７】
本適用例によれば、画像サイズの大きいサムネイル画像から順に省略表示させることで、画像サイズの小さいサムネイル画像の省略表示を不要にさせたり、縮小させたりすることができる。これにより、画像サイズの小さいサムネイル画像の内容が把握し易くなる。
【００１８】
［適用例７］上記適用例に記載の画像処理装置において、前記制御部は、前記サムネイル画像内の階調変化に応じて前記サムネイル画像の一部を省略させること、が好ましい。
【００１９】
本適用例によれば、サムネイル画像内の階調変化に応じてサムネイル画像を省略させることで、サムネイル画像の内容を把握させ易くすることができる。例えば、階調変化の少ない領域は、同色の画像が続く領域であるので、この領域を省略表示させることでサムネイル画像の内容が把握し易くなる。
【００２０】
［適用例８］上記適用例に記載の画像処理装置において、前記制御部は、省略させた前記サムネイル画像の画像サイズが所定のサイズ以下の場合、前記サムネイル画像全体を省略させたことを示すアイコンを表示させ、前記アイコンが選択されることで前記サムネイル画像を展開表示させること、が好ましい。
【００２１】
本適用例によれば、省略させたサムネイルが画像の画像サイズが所定のサイズ以下になった場合は、サムネイル画像全体を省略させたアイコンが表示されるので、サムネイル画像が複雑に配置されている場合であっても、プレビュー画像のレイアウトを把握することができる。また、必要に応じてアイコンを選択することでサムネイル画像の内容を容易に確認することができる。
【００２２】
［適用例９］本適用例に係る印刷装置は、上記適用例に記載の画像処理装置を備えていること、を特徴とする。
【００２３】
本適用例によれば、印刷装置は、プレビュー画像の視認性を向上させた画像処理装置を備えているので、プレビュー画像の視認性を向上させた印刷装置を提供することができる。
【００２４】
［適用例１０］本適用例に係るプレビュー方法は、印刷ジョブのプレビュー画像を表示させる表示部を備えた画像処理装置のプレビュー方法であって、前記プレビュー画像の画像サイズを取得する工程と、前記表示部の表示サイズに応じて、前記プレビュー画像内に含まれているサムネイル画像の少なくとも一部を省略させる工程と、を含んでいること、を特徴とする。
【００２５】
本適用例によれば、画像処理装置のプレビュー方法は、プレビュー画像の画像サイズを取得する工程と、表示部の表示サイズに応じて、プレビュー画像内に含まれているサムネイル画像の少なくとも一部を省略させる工程と、を含んでいる。これによって、プレビュー画像全体を表示部に表示させるので、サムネイル画像の内容とプレビュー画像全体のレイアウトとを同時に把握することができる。したがって、プレビュー画像の視認性を向上させたプレビュー方法を提供することができる。
【図面の簡単な説明】
【００２６】
【図１】実施形態に係る印刷装置の概略全体構成を示す模式図。
【図２】印刷装置の電気的な構成を示す電気ブロック図。
【図３】印刷動作を説明するフローチャート図。
【図４】プレビュー画像の画像データの一例を示す図。
【図５】従来技術により表示部に表示されるプレビュー画像の一例を示す図。
【図６】表示部に表示されるプレビュー画像の一例を示す図。
【図７】表示部に表示されるプレビュー画像の一例を示す図。
【図８】表示部に表示されるプレビュー画像の一例を示す図。
【図９】変形例１に係るプレビュー画像の画像データの一例を示す図。
【図１０】表示部に表示されるプレビュー画像の一例を示す図。
【図１１】変形例２に係るプレビュー画像の画像データの一例を示す図。
【図１２】表示部に表示されるプレビュー画像の一例を示す図。
【発明を実施するための形態】
【００２７】
以下、本発明の実施形態について、図面を参照して説明する。なお、以下の各図においては、各層や各部材を認識可能な程度の大きさにするため、各層や各部材の尺度を実際とは異ならせている。
また、図１では、説明の便宜上、互いに直交する三軸として、Ｘ軸、Ｙ軸及びＺ軸を図示しており、軸方向を図示した矢印の先端側を「＋側」、基端側を「−側」としている。また、以下では、記録媒体を搬送する方向である＋Ｘ軸に平行な方向を「Ｘ軸方向」、記録媒体を搬送する方向と交差する方向であるＹ軸に平行な方向を「Ｙ軸方向」、記録媒体に向かって印刷ヘッドからインクを吐出する方向である−Ｚ軸に平行な方向を「Ｚ軸方向」という。
【００２８】
（実施形態）
＜印刷装置の概略構成＞
図１は、実施形態に係る印刷装置の概略全体構成を示す模式図である。まず、本実施形態に係る印刷装置１の概略構成について図１を参照して説明する。なお、本実施形態では、画像処理装置１１０を備えている捺染用のインクジェット式の印刷装置１を例に上げて説明する。印刷装置１は、画像処理装置１１０と、記録装置１００とを備えている。
【００２９】
まず、画像処理装置１１０の構成について説明する。
図１に示すように、画像処理装置１１０は、制御部１１１、入力部１１２、表示部１１３などを備えている。制御部１１１は、入力部１１２、表示部１１３の制御や、記録装置１００に印刷を行わせる印刷ジョブの制御を行うものであり、記録装置１００の制御部７と協調して印刷装置１の全体を制御する。表示部１１３は、例えば液晶ディスプレイで構成されている。表示部１１３には、印刷ジョブのプレビュー画像などが表示される。入力部１１２は、各種のハードキーや、表示部１１３（液晶ディスプレイ）の表面に設けられたタッチパネルなどで構成されている。表示部１１３は、ＧＵＩ（Graphical User Interface）ボタン等により、各種コマンドの選択肢を表示すると共に、ユーザーが、入力部１１２によりコマンドを選択することにより、各種コマンドが入力される。
【００３０】
次に、記録装置１００の構成について説明する。
図１に示すように、記録装置１００は、記録媒体Ｗを繰り出して送る繰出部２と、記録媒体Ｗを搬送方向（＋Ｘ軸方向）に搬送させる媒体搬送機構１２と、媒体搬送機構１２と協働して記録媒体Ｗに印刷を行う印刷部５と、記録媒体Ｗを回収する巻取部６と、洗浄ユニット６５とを備えている。そして、これらの各部を統括制御する制御部７を有している。
【００３１】
まず、繰出部２から巻取部６に至る記録媒体Ｗの経路について説明する。
繰出部２は、記録媒体Ｗを搬送方向（印刷部５において＋Ｘ軸方向）に搬送するものであり、記録媒体Ｗの搬送方向において記録装置１００の上流側に設けられている。繰出部２は、ロール状に巻かれた帯状の記録媒体Ｗを保持して媒体搬送機構１２に繰り出す繰出しユニット１８と、繰り出され記録媒体Ｗの弛みを取る弛取りユニット１９と、を有している。記録媒体Ｗとしては、例えば、綿、ウール、ポリエステルなどの布帛が用いられる。
【００３２】
媒体搬送機構１２は、繰出部２から繰出された記録媒体Ｗを印刷部５に供給するものである。媒体搬送機構１２は、鋼材を組んで構成した本体用機台１１上に載置固定された左右（±Ｙ軸方向）一対のサイドフレーム６２に支持されている。媒体搬送機構１２は、搬送方向（以下、副走査方向ともいう）の下流側に位置する駆動プーリー８１と、搬送方向の上流側に位置する従動プーリー８２と、駆動プーリー８１および従動プーリー８２間に架け渡たされている搬送ベルト６４と、を有している。駆動プーリー８１および従動プーリー８２は、専用の軸受を介して、一対のサイドフレーム６２に回転自在に支持されている。駆動プーリー８１の一方の軸端には、搬送ベルト６４を間欠で移動させる動力源としての搬送モーター８６が連結されている。
【００３３】
搬送ベルト６４は、記録媒体Ｗの幅よりも広い帯状のベルトの両端部が接続されて無端状に形成されており、搬送ベルト６４の表面には、記録媒体Ｗを粘着させる粘着層が設けられている。搬送ベルト６４の上流側には、搬送ベルト６４に重ね合された記録媒体Ｗを押圧して搬送ベルト６４に密着させる押圧ローラー６６が設けられている。搬送ベルト６４は、所定の張力が作用した状態で駆動プーリー８１と従動プーリー８２との間に保持されており、搬送モーター８６が駆動されると、押圧ローラー６６によって搬送ベルト６４に密着された記録媒体Ｗが搬送方向（＋Ｘ軸側）に搬送させる。これにより、伸縮性のある布帛などを記録媒体Ｗとして扱うことができる。印刷部５で印刷された後の記録媒体Ｗは、媒体搬送機構１２の下流側に設けられている分離ローラー６７によって搬送ベルト６４から分離され巻取部６に中継される。なお、搬送ベルト６４は、記録媒体Ｗを密着させる粘着層を備えているものと説明したが、これに限定するものではない。例えば、搬送ベルトは、静電気で記録媒体Ｗを吸着させる静電吸着式のベルトであってもよい。
【００３４】
巻取部６は、記録媒体Ｗの搬送方向において記録装置１００の下流側に設けられている巻取部用機台２４に搭載されている。巻取部６は、印刷された記録媒体Ｗをロール状に巻き取って回収する巻取りユニット２１を有している。さらに、巻取部６は、記録媒体Ｗを巻き取る前に記録媒体Ｗに浸み込んだ染料インクの溶剤（水分）を気化させるヒーターユニット２３と、巻取りユニット２１に間紙Ｐを供給する間紙ユニット２２と、を有している。これにより、画像などの形成された帯状の記録媒体Ｗを巻取りユニット２１に巻き取らせることができる。
【００３５】
次に、印刷部５について説明する。
印刷部５は、媒体搬送機構１２の上側（＋Ｚ軸側）に配設されている。印刷部５は、キャリッジユニット１４と、キャリッジユニット１４を搬送方向と交差する主走査方向（Ｙ軸方向）に沿って移動させるキャリッジ移動機構１３と、を有している。さらに、キャリッジユニット１４は、カラー印刷用の複数色のノズル列を有し記録媒体Ｗに染料インクを吐出する印刷ヘッド１５と、ノズル列がＸ軸方向と並行になるように印刷ヘッド１５を搭載するキャリッジ３７とを有している。各ノズル列に供給される各色の染料インクは、図示しないインクタンクから供給され、制御部７の制御によって印刷ヘッド１５から記録媒体Ｗに向かって吐出される。キャリッジユニット１４、キャリッジ移動機構１３などは、プリンターカバー１７で覆われている。
【００３６】
キャリッジ移動機構１３は、キャリッジユニット１４をＹ軸方向にスライド自在に支持する２本のキャリッジガイド３１を備えている。キャリッジガイド３１は、Ｘ軸方向において搬送ベルト６４の外側（±Ｙ軸側）に立設しているプリンターフレーム３９の間に架設されている。さらに、キャリッジ移動機構１３は、キャリッジユニット１４をキャリッジガイド３１に沿って往復移動させるタイミングベルト３６と、タイミングベルト３６を正逆走行させる動力源としてのキャリッジモーター３３と、を有している。キャリッジモーター３３を駆動させることによりタイミングベルト３６が正逆走行されると、キャリッジユニット１４と共に印刷ヘッド１５がキャリッジガイド３１に案内されて±Ｙ軸方向に往復移動する。なお、本実施形態では、印刷ヘッド１５として、往復移動するキャリッジ３７に搭載され記録媒体Ｗの幅方向（±Ｙ軸方向）に移動しながらインクを吐出するシリアルヘッド式を例示したが、記録媒体Ｗの幅方向（Ｙ軸方向）に延在し固定して配列されたラインヘッド式であってもよい。
【００３７】
また、印刷部５は、媒体搬送機構１２に対し、印刷部５全体を昇降させることにより、印刷ヘッド１５のノズル面と、搬送ベルト６４上に載置された記録媒体Ｗとの間の距離（ワークギャップ）を調整するギャップ調整部５０が設けられている。ギャップ調整部５０の機構としては、例えば、ボールねじとボールナットとを組み合わせた機構や、リニアガイド機構などを採用することができる。
【００３８】
洗浄ユニット６５は、媒体搬送機構１２の下側（−Ｚ軸側）に備えられている。洗浄ユニット６５は、記録媒体Ｗが分離され、駆動プーリー８１から従動プーリー８２へ移動する搬送ベルト６４の表面を下方（−Ｚ軸方向）から洗浄するものである。洗浄ユニット６５は、搬送ベルト６４と当接して回転駆動する回転ブラシ９７を有し、搬送ベルト６４の表面に付着したインクや布帛の繊維などを取り除く。
【００３９】
＜電気的構成＞
図２は、印刷装置の電気的な構成を示す電気ブロック図である。次に、印刷装置１の電気的構成について図２を参照して説明する。
【００４０】
図２に示すように、画像処理装置１１０は、制御部１１１、入力部１１２、表示部１１３、記憶部１１４などを備え、記録装置１００に印刷を行わせる印刷ジョブなどの制御を行う。画像処理装置１１０としては、デスクトップ型あるいはラップトップ型のパーソナルコンピューター（ＰＣ）や、タブレット型端末、携帯型端末等が使用される。
画像処理装置１１０が動作するソフトウェアには、印刷する画像データを扱う一般的な画像処理アプリケーションソフトウェア（以下アプリケーションと言う）や、記録装置１００に印刷を実行させるための印刷データを生成するプリンタードライバーソフトウェア（以下プリンタードライバーと言う）が含まれる。
【００４１】
制御部１１１は、ＣＰＵ（Central Processing Unit）１１５や、ＡＳＩＣ（Application Specific Integrated Circuit）１１６、ＤＳＰ（Digital Signal Processor）１１７、メモリー１１８、インターフェイス部（Ｉ／Ｆ）１１９などを備え、画像処理装置１１０全体の集中管理を行う。
ＣＰＵ１１５は、画像処理装置１１０全体の制御を行うための演算処理装置である。ＡＳＩＣ１１６及びＤＳＰ１１７は、ＣＰＵ１１５の制御のもとに、プリンタードライバーによる画像処理などを行う。Ｉ／Ｆ１１９は、画像処理装置１１０と記録装置１００との間でデータの送受信を行うためのものである。
入力部１１２は、ヒューマンインターフェイスとしての情報入力手段である。具体的には、例えば、キーボード、マウス、タッチパネルなどの情報入力機器が接続されるポートなどである。
【００４２】
表示部１１３は、ヒューマンインターフェイスとしての情報表示手段（ディスプレイ）であり、制御部１１１の制御のもとに、入力部１１２から入力される情報や、記録装置１００に印刷させる画像、印刷ジョブに関係する情報などが表示される。
記憶部１１４は、ハードディスクドライブ（ＨＤＤ）やメモリーカードなどの書き換え可能な記憶媒体であり、画像処理装置１１０が動作するソフトウェア（制御部１１１で動作するプログラム）や、印刷させる画像、印刷ジョブに関係する情報などが記憶される。
メモリー１１８は、ＣＰＵ１１５が動作するプログラムを格納する領域や動作する作業領域などを確保する記憶媒体であり、ＲＡＭ、ＥＥＰＲＯＭなどの記憶素子によって構成される。
【００４３】
記録装置１００は、記録装置１００に備えられている各部の制御を行う制御部７を有している。制御部７は、ＣＰＵ７１（Central Processing Unit）と、メモリー７２と、制御回路７３と、インターフェイス部７４（Ｉ／Ｆ）と、を備えている。Ｉ／Ｆ７４は、画像処理装置１１０と記録装置１００との間でデータの送受信を行うためのものである。なお、印刷装置１は、画像処理装置１１０と記録装置１００とで構成されているものと説明したが、印刷装置は、画像処理装置と記録装置とが一体で設けられた構成であってもよい。
【００４４】
ＣＰＵ７１は、図示しない各種の検出器群からの入力信号処理や記録装置１００全体の制御を行うための演算処理装置である。
メモリー７２は、ＣＰＵ７１で実行されるプログラムを格納する領域や作業領域等を確保するためのものであり、ＲＡＭ（Random Access Memory）、ＥＥＰＲＯＭ（Electrically Erasable Programmable Read Only Memory）などの記憶素子を有している。
制御回路７３は、ＣＰＵ７１の演算処理に基づいて記録装置１００の各部を制御する制御信号を出力する。
【００４５】
制御部７は、制御回路７３から制御信号を出力し、媒体搬送機構１２に備えられている搬送モーター８６を制御して繰出部２から供給された記録媒体Ｗを搬送方向（副走査方向（＋Ｘ軸方向））に移動させる。制御部７は、制御回路７３から制御信号を出力し、キャリッジ移動機構１３に備えられているキャリッジモーター３３を制御して印刷ヘッド１５の搭載されたキャリッジユニット１４を主走査方向に移動させる。制御部７は、制御回路７３から制御信号を出力し、印刷ヘッド１５の駆動を制御して記録媒体Ｗに向かってインクを吐出させる。また、制御部７は、図示しない各装置を制御する。
【００４６】
このような構成により、制御部７は、画像処理装置１１０から受信した印刷データ（印刷ジョブ）にしたがって、記録装置１００の各部を制御し印刷動作を実行する。
制御部７が、キャリッジ移動機構１３及び印刷ヘッド１５を制御して、印刷ヘッド１５からインクを吐出させながらキャリッジユニット１４（印刷ヘッド１５）を主走査方向（Ｙ軸方向）に移動させる主走査を行うことで、Ｙ軸方向に沿って複数のドットが並んだラスターラインが形成される。制御部７が、媒体搬送機構１２を制御して記録媒体Ｗを副走査方向（＋Ｘ軸方向）に搬送させる副走査と、上述の主走査とを繰り返すことで、Ｘ軸方向に沿って複数のラスターラインが形成される。これにより、記録媒体Ｗに画像などが印刷される。
【００４７】
図３は、印刷動作を説明するフローチャート図である。図４は、プレビュー画像の画像データの一例を示す図である。図５は、従来技術により表示部に表示されるプレビュー画像の一例を示す図である。図６から図８は、表示部に表示されるプレビュー画像の一例を示す図である。なお、図４から図８では、プレビュー画像が記録媒体Ｗに印刷される方向をＸ軸とＹ軸とで図示している。次に、画像処理装置１１０のプレビュー方法について図３から図８を参照して説明する。
【００４８】
ステップＳ１では、画像サイズを取得する。ステップＳ１は、プレビュー画像１２０の画像サイズを取得する工程である。制御部１１１は、記録装置１００に印刷させる印刷ジョブに基づいて表示部１１３に表示させるプレビュー画像１２０の画像サイズを求める。
【００４９】
プレビュー画像１２０の一例を示す。図４に示すように、プレビュー画像１２０は、複数のサムネイル画像１２１，１２２，１２３，１２４を含んでいる。
サムネイル画像１２１は、記録媒体Ｗの搬送方向における＋Ｘ軸側（下流側）、及び記録媒体Ｗの幅方向における−Ｙ軸側に配置されている。
サムネイル画像１２２は、記録媒体Ｗの搬送方向における＋Ｘ軸側（下流側）、及び記録媒体Ｗの幅方向における＋Ｙ軸側に配置されている。
サムネイル画像１２３は、記録媒体Ｗの搬送方向における−Ｘ軸側（上流側）、及び記録媒体Ｗの幅方向における−Ｙ軸側に配置されている。
サムネイル画像１２４は、記録媒体Ｗの搬送方向における−Ｘ軸側（上流側）、及び記録媒体Ｗの幅方向における＋Ｙ軸側に配置されている。
各サムネイル画像１２１，１２２，１２３，１２４は、記録媒体Ｗの幅方向（Ｙ軸方向）のサイズ（以下、横サイズという）が同じである。
サムネイル画像１２１とサムネイル画像１２４とは、横サイズよりも記録媒体の搬送方向（Ｘ軸方向）のサイズ（以下、縦サイズという）の方が短い横長の長方形をなしている。サムネイル画像１２１とサムネイル画像１２４とは、縦サイズも同じである。
サムネイル画像１２２とサムネイル画像１２３は、横サイズよりも縦サイズの方が著しく長い縦長の長方形をなしている。さらに、サムネイル画像１２２は、サムネイル画像１２３よりも縦サイズが長い。
したがって、プレビュー画像１２０は、横サイズより縦サイズの方が著しく長い縦長の画像サイズである。
【００５０】
ここで、従来技術によって表示部１１３に表示されるプレビュー画像について説明する。
図５に示すように、例えば、プレビュー画像１２０の画像サイズが横縦比１：６の縦長画像であった場合、この横縦比を保ったままプレビュー画像１２０を表示部１１３に表示させていた。横縦比１：６は、横縦比０．５：３とも表せる。すなわち、縦方向の画像サイズを表示部１１３の表示サイズに合わせて横縦等倍で縮小表示させると、横方向の画像サイズは、表示部１１３の表示サイズの１／８の幅でしか表示されず、ユーザーは各サムネイル画像１２１，１２２，１２３，１２４の内容を確認するのが困難であった。
【００５１】
ステップＳ２では、省略表示が必要かを判断する。制御部１１１は、表示部１１３の表示サイズと、ステップＳ１で求めたプレビュー画像１２０の画像サイズとを比較する。例えば、表示部１１３は、１２８０ピクセル×７６８ピクセルの横縦比４：３の表示サイズであり、プレビュー画像１２０の画像サイズが横縦比４：３以上の縦長画像の場合（ステップＳ２：Ｙｅｓ）は、ステップＳ３に進む。プレビュー画像１２０の画像サイズが横縦比４：３以下の横長画像の場合（ステップＳ２：Ｎｏ）は、ステップＳ５に進み表示部１１３にプレビュー画像を表示する。
【００５２】
ステップＳ３では、画像を省略させる。ステップＳ３は、表示部１１３の表示サイズに応じて、プレビュー画像１２０に含まれているサムネイル画像の少なくとも一部を省略させる工程である。制御部１１１は、プレビュー画像１２０の画像サイズと表示部１１３の表示サイズとに応じて、複数のサムネイル画像１２１，１２２，１２３，１２４のうちの少なくとも１つのサムネイル画像（本実施形態では２つのサムネイル画像１２２，１２３）について、少なくとも一部を省略表示させる。
【００５３】
ステップＳ４では、プレビュー画像１２０を生成する。制御部１１１は、サムネイル画像１２２，１２３を省略表示させることで、表示部１１３の画面サイズ（横縦比）に変更させたプレビュー画像１２０を生成する。
【００５４】
ステップＳ５では、プレビュー画像１２０を表示する。制御部１１１は、ステップＳ４で生成したプレビュー画像１２０全体を表示部１１３に表示する。
【００５５】
表示部１１３に表示されるプレビュー画像１２０を図６に示す。図６に示す一例では、制御部１１１は、複数のサムネイル画像１２１，１２２，１２３，１２４のうちの２つのサムネイル画像１２２，１２３について、画像の一部を省略表示させる。また、制御部１１１は、複数のサムネイル画像１２１，１２２，１２３，１２４のうち、画像サイズの大きいサムネイル画像１２２，１２３から順に省略させる。制御部１１１は、最も縦長サイズであるサムネイル画像１２２の一部を省略させて、サムネイル画像１２２とサムネイル画像１２４とを合わせた縦サイズを表示部１１３の表示サイズに合わせる。そして、制御部１１１は、次に縦長サイズであるサムネイル画像１２３の一部を省略させて、サムネイル画像１２３とサムネイル画像１２１とを合わせた縦サイズを表示部１１３の表示サイズに合わせる。
【００５６】
図６に示すプレビュー画像１２０の一例では、制御部１１１は、サムネイル画像１２２の上流側（−Ｘ軸側）の画像を省略させ、画像が省略されたことを示す識別子１２６を画像の省略される領域に表示させる。また、制御部１１１は、サムネイル画像１２３の下流側（＋Ｘ軸方向）の画像を省略させ、画像が省略されたことを示す識別子１２５を画像の省略される領域に表示させる。これにより、表示部１１３の表示サイズ（横縦比）に合わせたプレビュー画像１２０が表示部１１３に表示される。これにより、ユーザーは、サムネイル画像１２１，１２２，１２３，１２４の内容とプレビュー画像１２０全体のレイアウトとを同時に把握することができる。
【００５７】
また、識別子１２５，１２６が、入力部１１２の操作によって選択されることで、制御部１１１は、省略表示されたサムネイル画像１２２，１２３を展開表示させ、展開表示されたサムネイル画像１２２，１２３を省略表示させる。例えば、図６に示すプレビュー画像１２０において、ユーザーがサムネイル画像１２２の省略表示された部分の画像を確認したい場合、ユーザーが識別子１２６を選択することで、制御部１１１は入力部１１２からの入力信号を受信し、サムネイル画像１２２を展開表示する。
【００５８】
サムネイル画像１２２を展開表示させた場合、サムネイル画像１２２の縦サイズが表示部１１３の縦サイズよりも大きくなるので、制御部１１１は、プレビュー画像１２０を縦方向に動かしながら表示させるスクロールバーを表示させる。これにより、ユーザーは、スクロールバーを操作することにより、サムネイル画像１２２の詳細を確認することができる。また、制御部１１１は、サムネイル画像１２２を省略表示させる識別子を画像の省略される領域に表示させるので、ユーザーは、必要に応じて省略表示と展開表示との表示形式を容易に切り替えることができる。
【００５９】
なお、本実施形態では、画像が省略される領域に示された識別子１２５，１２６を選択することで、当該のサムネイル画像の表示形式を切り替えるものと説明したが、これに限定するものではない。
図７に示すように、表示部１１３に、プレビュー画像１２０とナビゲーションウィンドー１２０ａとが表示されるようにしてもよい。ナビゲーションウィンドー１２０ａは、各サムネイル画像１２１，１２２，１２３，１２４の外形のみを表す識別子１２１ａ，１２２ａ，１２３ａ，１２４ａを有しおり、記録媒体Ｗに印刷される各サムネイル画像１２１，１２２，１２３，１２４の配置を確認できる小窓である。ユーザーが識別子１２１ａ，１２２ａ，１２３ａ，１２４ａのいずれかの識別子を選択することで、当該のプレビュー画像がプレビュー画像１２０内に拡大表示されるようになっている。これにより、ユーザーは、当該サムネイル画像の内容と、記録媒体Ｗに印刷される各サムネイル画像１２１，１２２，１２３，１２４の配置とを容易に把握することができる。
【００６０】
図８に示すように、表示部１１３に、プレビュー画像１２０とサムネイルリスト１２０ｂとが表示されるようにしてもよい。サムネイルリスト１２０ｂは、プレビュー画像１２０内に含まれているサムネイル画像１２１，１２２，１２３，１２４を一覧表示する小窓である。ユーザーが一覧表示された識別子１２１ｂ，１２２ｂ，１２３ｂ，１２４ｂのいずれかの識別子を選択することで、当該のプレビュー画像がプレビュー画像１２０内に拡大表示されるようになっている。これにより、ユーザーは、当該サムネイル画像の内容と、プレビュー画像１２０全体のレイアウトとを容易に把握することができる。
【００６１】
なお、本実施形態では、捺染用のインクジェット式の印刷装置１を例示したが、これに限定するものではない。本発明は、長尺の記録媒体Ｗを扱う印刷装置全般に適用することができる。
【００６２】
以上述べたように、本実施形態に係る画像処理装置１１０及び画像処理装置１１０を備えた印刷装置１によれば、以下の効果を得ることができる。
画像処理装置１１０は、印刷ジョブのプレビュー画像１２０が表示される表示部１１３と、制御部１１１とを備えている。制御部１１１は、プレビュー画像１２０の画像サイズ（横縦比）と表示部１１３の表示サイズとに応じて、プレビュー画像１２０内に含まれている複数のサムネイル画像１２１，１２２，１２３，１２４のうちの少なくとも１つのプレビュー画像（本実施形態では２つのサムネイル画像１２２，１２３）の少なくとも一部を省略させてプレビュー画像１２０全体を表示させる。これにより、表示部１１３の表示サイズ（横縦比）に合わせたプレビュー画像１２０が表示部１１３に表示されるので、ユーザーは、サムネイル画像１２１，１２２，１２３，１２４の内容とプレビュー画像１２０全体のレイアウトとを同時に把握することができる。したがって、プレビュー画像１２０の視認性を向上させた画像処理装置１１０を提供することができる。
【００６３】
制御部１１１は、省略表示されたサムネイル画像１２２，１２３を展開表示させ、展開表示されたサムネイル画像１２２，１２３を省略表示させる識別子１２５，１２６を画像の省略される領域に表示させる。これにより、ユーザーは、識別子１２５，１２６を選択することで、必要に応じて省略表示と展開表示との表示形式を容易に変更することができる。
制御部１１１は、複数のサムネイル画像１２１，１２２，１２３，１２４のうち、画像サイズの大きいサムネイル画像１２２，１２３から順に省略させる。これにより、画像サイズの小さいサムネイル画像１２１，１２４の内容が把握し易くなる。
【００６４】
印刷装置１は、サムネイル画像１２１，１２２，１２３，１２４の内容とプレビュー画像１２０全体のレイアウトとを同時に把握することができる画像処理装置１１０を備えているので、プレビュー画像１２０の視認性を向上させた印刷装置１を提供することができる。
【００６５】
画像処理装置１１０のプレビュー方法は、プレビュー画像１２０の画像サイズを取得する工程と、表示部１１３の表示サイズ（横縦比）に応じて、プレビュー画像１２０内に含まれているサムネイル画像（本実施形態では２つのサムネイル画像１２２，１２３）の少なくとも一部を省略させる工程と、を含んでいる。これにより、表示部１１３の表示サイズ（横縦比）に合わせたプレビュー画像１２０が表示部１１３に表示されるので、ユーザーは、サムネイル画像１２１，１２２，１２３，１２４の内容とプレビュー画像１２０全体のレイアウトとを同時に把握することができる。したがって、プレビュー画像１２０の視認性を向上させたプレビュー方法を提供することができる。
【００６６】
なお、本発明は上述した実施形態に限定されず、上述した実施形態に種々の変更や改良などを加えることが可能である。変形例を以下に述べる。
【００６７】
（変形例１）
図９は、変形例１に係るプレビュー画像の画像データの一例を示す図である。図１０は、表示部に表示されるプレビュー画像の一例を示す図である。なお、図９及び図１０では、プレビュー画像が記録媒体Ｗに印刷される方向をＸ軸とＹ軸とで図示している。
上記実施形態では、図６から図８に示したプレビュー画像１２０を例示したが、これに限定するものではない。以下、変形例１に係るプレビュー画像１３０について説明する。なお、実施形態と同一の構成部位については、同一の番号を附し、重複する説明は省略する。
【００６８】
図９に示すように、プレビュー画像１３０の画像データは、複数のサムネイル画像１３１，１３２を含んでいる。
サムネイル画像１３１は、記録媒体Ｗの搬送方向における＋Ｘ軸側（下流側）に配置され、サムネイル画像１３２は、記録媒体Ｗの搬送方向における−Ｘ軸側（上流側）に配置されている。
サムネイル画像１３１，１３２は、横サイズが同じである。サムネイル画像１３１は、横サイズよりも縦サイズの方が短い横長の長方形をなしている。サムネイル画像１３２は、横サイズよりも縦サイズの方が著しく長い縦長の長方形をなしている。
したがって、プレビュー画像１３０は、横サイズより縦サイズの方が著しく長い縦長の画像サイズである。
サムネイル画像１３１とサムネイル画像１３２との間は、画像の形成されない空白部Ｖを表し、サムネイル画像１３２中の領域Ｇは、色の階調変化が少ない部分を表している。
【００６９】
図１０に示すように、制御部１１１は、複数のサムネイル画像１３１，１３２の間の空白部Ｖ（図９参照）を省略表示させ、空白部Ｖが省略されたことを示す識別子１３５を空白部Ｖの省略される領域に表示させる。これにより、空白部Ｖを省略させない場合よりもサムネイル画像１３１，１３２を大きく表示させることができるので、ユーザーはサムネイル画像１３１，１３２の内容を把握し易くなる。
【００７０】
制御部１１１は、サムネイル画像１３２内の階調変化に応じてサムネイル画像１３２の一部を省略させる。詳しくは、表示部１１３に表示される色は、Ｒ（Ｒｅｄ）、Ｇ（Ｇｒｅｅｎ）、Ｂ（Ｂｌｕｅ）についてそれぞれ２５６階調（０〜２５５）で示される。例えば、青色はＲＧＢ（０，０，２５６）で示される。制御部１１１は、各色の階調変化が所定の値以下の範囲（図９で示した領域Ｇ）の画像を省略表示させ、領域Ｇが省略されたことを示す識別子１３６を領域Ｇの省略される領域に表示させる。これにより、領域Ｇを省略させない場合よりもサムネイル画像１３１及びサムネイル画像１３２の領域Ｇ以外を大きく表示させることができるので、ユーザーはサムネイル画像１３１，１３２の内容を把握し易くなる。なお、本変形例では、サムネイル画像１３２の省略表示が一箇所の場合を例示したが、サムネイル画像を複数箇所で省略表示させた形態であってもよい。
【００７１】
制御部１１１は、サムネイル画像１３２の省略表示部に沿って、プレビュー画像１３０の長辺方向の長さを省略表示させる。詳しくは、制御部１１１は、省略表示部としてのサムネイル画像１３２における領域Ｇを省略表示させたことを示す識別子１３６を、プレビュー画像１３０の横サイズ全体に亘って表示させる。これにより、画像の印刷された記録媒体Ｗが折り畳まれたように表示されるので、ユーザーは、印刷後の全体像をイメージし易くなる。
【００７２】
（変形例２）
図１１は、変形例２に係るプレビュー画像の画像データの一例を示す図である。図１２は、表示部に表示されるプレビュー画像の一例を示す図である。なお、図１１及び図１２では、プレビュー画像が記録媒体Ｗに印刷される方向をＸ軸とＹ軸とで図示している。以下、変形例２に係るプレビュー画像１４０について説明する。なお、実施形態と同一の構成部位については、同一の番号を附し、重複する説明は省略する。
【００７３】
図１１に示すように、プレビュー画像１４０の画像データは、複数のサムネイル画像１４１，１４２，１４３，１４４を含んでいる。
サムネイル画像１４１は、記録媒体Ｗの搬送方向における＋Ｘ軸側（下流側）に配置され、サムネイル画像１４４は、記録媒体Ｗの搬送方向における−Ｘ軸側（上流側）に配置されている。サムネイル画像１４２は、サムネイル画像１４１の−Ｘ軸側（上流側）に配置され、サムネイル画像１４３は、サムネイル画像１４２とサムネイル画像１４４との間に配置されている。
サムネイル画像１４１，１４２，１４３，１４４は、横サイズが同じである。サムネイル画像１４２，１４３は、横サイズよりも縦サイズの方が著しく短い横長の長方形をなしている。サムネイル画像１４１，１４４は、横サイズよりも縦サイズの方が長い縦長の長方形をなしている。
したがって、プレビュー画像１４０は、横サイズより縦サイズの方が長い縦長の画像サイズである。
【００７４】
図１２に示すように、表示部１１３には、プレビュー画像１４０と、ナビゲーションウィンドー１４０ａとが表示される。
制御部１１１は、省略させたサムネイル画像（本変形例では、サムネイル画像１４２，１４３）の画像サイズが所定のサイズ以下の場合、サムネイル画像１４２，１４３全体を省略させたことを示すアイコン（記号）１４２ａ，１４３ａを表示させ、アイコン１４２ａ，１４３ａが選択されることでサムネイル画像１４２，１４３を展開表示させる。詳しくは、制御部１１１は、省略表示させて画像サイズが所定のサイズ以下になり、画像の内容を確認することが困難であると判断したサムネイル画像１４２，１４３の全体表示を省略し、ナビゲーションウィンドー１４０ａに省略したことを示すアイコン１４２ａ，１４３ａを表示させる。そして、制御部１１１は、上流側（−Ｘ軸側）の画像を省略させたサムネイル画像１４１と、下流側（＋Ｘ軸側）の画像を省略させたサムネイル画像１４４とを繋ぎ合わせた縦サイズを表示部１１３の表示サイズに合わせたプレビュー画像１４０を表示部１１３に表示させる。
【００７５】
ナビゲーションウィンドー１４０ａには、一部が省略表示されたサムネイル画像１４１，１４４のアイコン１４１ａ，１４４ａが表示されていてもよい。本変形例では、画像全体が省略されたサムネイル画像１４２，１４３が破線のアイコン１４２ａ，１４３ａで表示され、一部の画像が省略表示されたサムネイル画像１４１，１４４が実線のアイコン１４１ａ，１４４ａで表示されている。ユーザーがアイコン１４１ａ，１４２ａ，１４３ａ，１４４ａのいずれかのアイコンを選択することで、当該のプレビュー画像がプレビュー画像１４０内に展開表示されるようになっている。これにより、ユーザーは、当該サムネイル画像の内容と、記録媒体Ｗの上端及び下端に印刷されるサムネイル画像１４１，１４４の配置とを容易に把握することができる。
【符号の説明】
【００７６】
１…印刷装置、５…印刷部、７，１１１…制御部、１２…媒体搬送機構、１３…キャリッジ移動機構、７１，１１５…ＣＰＵ、７２，１１８…メモリー、７３…制御回路、７４，１１９…インターフェイス部、１００…記録装置、１１０…画像処理装置、１１２…入力部、１１３…表示部、１１４…記憶部、１１６…ＡＳＩＣ、１１７…ＤＳＰ、１２０，１３０，１４０…プレビュー画像、１２０ａ，１４０ａ…ナビゲーションウィンドー、１２０ｂ…サムネイルリスト、１２１，１２２，１２３，１２４，１３１，１３２，１４１，１４２，１４３，１４４…サムネイル画像、１２１ａ，１２１ｂ，１２５，１２６，１３５，１３６…識別子、１４１ａ，１４２ａ，１４３ａ，１４４ａ…アイコン。
【図１】
2017182117.tif 000003
【図２】
2017182117.tif 000004
【図３】
2017182117.tif 000005
【図４】
2017182117.tif 000006
【図５】
2017182117.tif 000007
【図６】
2017182117.tif 000008
【図７】
2017182117.tif 000009
【図８】
2017182117.tif 000010
【図９】
2017182117.tif 000011
【図１０】
2017182117.tif 000012
【図１１】
2017182117.tif 000013
【図１２】
2017182117.tif 000014